(57)【要約】【課題】  処理シートの補給作業を容易に行うことができるとともに、処理シートが残存している状態でも新規の処理シートを補給し、連続的に使用することができるペット用トイレ装置を提供すること。【解決手段】  収納部１１に収納された処理シート３（２５）は、引出口１１ａから排泄部２ａに引き出されても、終端部２５ａが常に補給口１１ｄ側に露呈しているので、処理シート３（２５）が終端部２５ａまで使用されていない状態でも、該終端部２５ａに新たに補給する処理シート３（２５’）の始端部２５ｂを継ぎ足して連続した処理シート３を形成することができる。これにより使用中の処理シート３（２５）が終端部２５ａまで引き出されると継ぎ足された新規な処理シート３（２５’）が連続的に引き出されるのでこのシート３の補給作業が容易であり、処理シート３を始端部２５ｂから終端部２５ａまで無駄なく使用することができる。【選択図】  図６
2007000030.tif 000002
【特許請求の範囲】
【請求項１】
ペットの排泄物を処理するための帯状の処理シートが収納される収納部と、該収納部から引き出した処理シートが敷設されるペットの排泄部と、を備える台座からなるペット用トイレであって、
前記収納部は、収納された処理シートを前記排泄部に引き出すための引出口と、新規の処理シートを補給するための補給口と、を有し、収納された処理シートが前記引出口から引き出されても、該処理シートにおける引き出し側の始端部とは反対側の終端部が前記補給口側を向いた状態で保持されるように構成されていることを特徴とするペット用トイレ装置。
【請求項２】
前記処理シートの始端部または終端部の少なくともいずれかに、前記始端部と前記終端部とを接続可能な接続手段が設けられている請求項１に記載のペット用トイレ装置。
【請求項３】
前記接続手段は粘着部にて構成され、該粘着部には剥離可能な剥離紙が貼付されている請求項２に記載のペット用トイレ装置。
【請求項４】
前記処理シートは、始端部から終端部にかけて予め蛇腹状に折り畳まれた補給シート体として前記補給口から補給可能に構成されている請求項１乃至３のいずれかに記載のペット用トイレ装置。
【請求項５】
前記補給シート体は、処理シートの始端部および終端部が折り畳み方向に対して同位置となるように形成されている請求項４に記載のペット用トイレ装置。
【請求項６】
前記収納部には、収納された処理シートを前記引出口に向けて案内する案内ローラが設けられている請求項１乃至５のいずれかに記載のペット用トイレ装置。
【請求項７】
前記処理シートは、排尿等を吸水可能な吸収シート層と、前記排泄部に敷設されたときに前記吸水シートの下面側に配置される防水シート層と、から構成される請求項１乃至６のいずれかに記載のペット用トイレ装置。
【請求項８】
前記台座は、前記収納部から前記排泄部に引き出された処理シートを巻取る巻取り手段を備え、該巻取り手段は、前記処理シートを、前記吸収シート層を内側にした状態でロール状に巻回するとともに、該ロール状に巻回された状態で取り外すことができるように構成されている請求項１乃至７のいずれかに記載のペット用トイレ装置。
【発明の詳細な説明】
【技術分野】
【０００１】
本発明は、ペットの糞尿等の排泄物を処理するための処理シートが、ペットの排泄後において交換可能であるとともに、該処理シートを補給していくことができるペット用トイレ装置に関する。
【背景技術】
【０００２】
従来、屋内用の犬等のペットの排泄物を処理する場合にあっては、飼い主は、新聞や布等のシートを予め床面に敷設しておき、また、このシートに排泄するようにペットを調教しておくことで、ペットがいつ排泄しても床面が汚れることがないようにするとともに、これらシート上に糞尿等が排泄された際には、糞尿等をシートとともにまとめて廃棄した後、新たなシートに交換するようにしていた。しかし、飼い主が家を留守にする場合には、排泄後のシートを交換できず、シート上の糞尿が長時間または長期間放置されてしまうことがあるため、悪臭が漂ってしまうばかりか、不衛生であるといった問題があった。
【０００３】
このような問題を解決するために提案されたペット用トイレ装置としては、例えばトイレシートが多層に巻回されたシートロールが台座の一端側に設けられるとともに、使用済みのトイレシートをモータ駆動により巻回するための巻回ローラが設けられ、犬の排泄後において、汚れたトイレシートが巻回ローラにより巻き取られることで、犬の排泄物がトイレシートとともに自動的に巻き取られていくとともに、巻き取りと同時に新規なトイレシートが引き出されるようにしたもの等がある（例えば、特許文献１および特許文献２参照）。
【０００４】
【特許文献１】特開２００４−２４２５１２号公報（段落００２０〜段落００２５、図１，４，５）
【特許文献２】特開２００５−４００１６号公報（段落００１５〜段落００２１、図１，２）
【発明の開示】
【発明が解決しようとする課題】
【０００５】
上記特許文献１に記載のペット用トイレ装置にあっては、トイレ装置の使用継続によりシートロールが消耗した場合には、シートロールを取り外し、新規なシートロールをセットして交換する必要があるばかりか、新規なロールシートに交換した後、ロールシートを台座上に引き出さなければならないため、手間がかかるといった問題があった。
【０００６】
また、例えばシートロールにトイレシートの残量が残りわずかであることに気づいた場合でも、トイレシートの終端部がシートロールの回転中心にあることで、新規なシートロールの始端部を継ぎ足して補給することができないため、シートロールの交換時期がシートロールの消耗時に制限されてしまうとともに、あるいはトイレシートの残量がある状態で新たなシートロールに交換すれば、トイレシートが無駄になってしまうといった問題があった。
【０００７】
本発明は、このような問題点に着目してなされたもので、処理シートの補給作業を容易に行うことができるとともに、処理シートが残存している状態でも新規の処理シートを補給し、連続的に使用することができるペット用トイレ装置を提供することを目的とする。
【課題を解決するための手段】
【０００８】
上記課題を解決するために、本発明の請求項１に記載のペット用トイレ装置は、ペットの排泄物を処理するための帯状の処理シートが収納される収納部と、該収納部から引き出した処理シートが敷設されるペットの排泄部と、を備える台座からなるペット用トイレであって、
前記収納部は、収納された処理シートを前記排泄部に引き出すための引出口と、新規の処理シートを補給するための補給口と、を有し、収納された処理シートが前記引出口から引き出されても、該処理シートにおける引き出し側の始端部とは反対側の終端部が前記補給口側を向いた状態で保持されるように構成されていることを特徴としている。
この特徴によれば、収納部に収納された処理シートは、引出口から排泄部に引き出されても、終端部が常に補給口側に露呈しているので、該処理シートが終端部まで使用されていない状態でも、該終端部に新たに補給する処理シートの始端部を継ぎ足して連続した処理シートを容易に形成することができる。これにより、使用中の処理シートが終端部まで引き出されたときに、継ぎ足された新規な処理シートが連続的に引き出されるので、新規な処理シートの補給作業が容易であるとともに、処理シートを始端部から終端部まで無駄なく使用することができる。
【０００９】
本発明の請求項２に記載のペット用トイレ装置は、請求項１に記載のペット用トイレ装置であって、前記処理シートの始端部または終端部の少なくともいずれかに、前記始端部と前記終端部とを接続可能な接続手段が設けられていることを特徴としている。
この特徴によれば、既存の処理シートの終端部と新たに補給する処理シートの始端部とを、接続手段により容易に継ぎ足して連続した処理シートを形成することができる。
【００１０】
本発明の請求項３に記載のペット用トイレ装置は、請求項２に記載のペット用トイレ装置であって、前記接続手段は粘着部にて構成され、該粘着部には剥離可能な剥離紙が貼付されていることを特徴としている。
この特徴によれば、未使用時における粘着部の粘着が防止されるとともに、使用時には剥離紙を剥離するだけで、処理シートの終端部と始端部とを容易に継ぎ足すことができる。また、未使用時における粘着部の粘着強度の劣化が防止されるばかりか、排泄部に継ぎ目が配置された場合でも、ペットの接続手段との引っ掛かり等により怪我等をする虞がなく安全である。
【００１１】
本発明の請求項４に記載のペット用トイレ装置は、請求項１乃至３のいずれかに記載のペット用トイレ装置であって、前記処理シートは、予め始端部から終端部にかけて蛇腹状に折り畳まれた補給シート体として前記補給口から補給可能に構成されていることを特徴としている。
この特徴によれば、処理シートをコンパクト化した状態で補給・収納することができるため、補給・収納作業が容易となるばかりか、収納部に収納された状態での安定感が向上する。
【００１２】
本発明の請求項５に記載のペット用トイレ装置は、請求項４に記載のペット用トイレ装置であって、前記補給シート体は、処理シートの始端部および終端部が折り畳み方向に対して同位置となるように形成されていることを特徴としている。
この特徴によれば、新規な補給シート体を補給口から補給したときに、該補給シート体の始端部が常に収納されている処理シートの終端部に継ぎ足し可能な位置に配置されることになるため、継ぎ足しの際に始端部と終端部との位置合わせを行う手間を省くことができる。
【００１３】
本発明の請求項６に記載のペット用トイレ装置は、請求項１乃至５のいずれかに記載のペット用トイレ装置であって、前記収納部には、収納された処理シートを前記引出口に向けて案内する案内ローラが設けられていることを特徴としている。
この特徴によれば、収納された処理シートが案内ローラにより引出口までスムーズに、また常に安定した姿勢で引き出されるため、引出口でのシート詰まり等を効果的に防止できる。
【００１４】
本発明の請求項７に記載のペット用トイレ装置は、請求項１乃至６のいずれかに記載のペット用トイレ装置であって、前記処理シートは、排尿等を吸水可能な吸収シート層と、前記排泄部に敷設されたときに前記吸水シートの下面側に配置される防水シート層と、から構成されることを特徴としている。
この特徴によれば、ペットの排泄物の水分が吸収シート層で確実に吸水・保持されるとともに、防水シート層にて台座に漏出することが確実に防止され、台座が汚れることがないので、衛生状態を長期にわたり維持できる。
【００１５】
本発明の請求項８に記載のペット用トイレ装置は、請求項１乃至７のいずれかに記載のペット用トイレ装置であって、前記台座は、前記収納部から前記排泄部に引き出された処理シートを巻取る巻取り手段を備え、該巻取り手段は、前記吸収シート層の外表面が前記防水シート層で被覆されるように前記処理シートをロール状に巻回するとともに、該巻回された状態で処理シートを取り外すことができるように構成されていることを特徴としている。
この特徴によれば、巻取り手段により巻取られた処理シートの外表面は常に防水シート層の表面にて形成され、これにより巻き取られた状態において居住内にペットの排泄物や臭気が漏出することが防止されるので、不衛生な室内環境が生じることがないばかりか、排泄物で手を汚すことなく、使用後の処理シートをロール状のまま取り外して廃棄処理することができる。
【発明を実施するための最良の形態】
【００１６】
本発明の実施例を以下に説明する。
【実施例】
【００１７】
図１は、ペット用トイレ装置の全体像を示す斜視図であり、図２は、（ａ）は、ペット用トイレ装置の一部破断側面図であり、図２（ｂ）は、ペット用トイレ装置の一部破断平面図であり、図３（ａ）は、処理シートが台座側より巻き取られる状態を示す断面図であり、図３（ｂ）は、更に多くの処理シートが巻き取られた状態を示す断面図であり、図４は、処理シートが収納ケースから引き出される過程を示す一部破断側面図であり、図５は、収納ケースに補給用シート体が補給される過程を示す斜視図であり、図６は、収納ケースに補給用シート体が補給された状態を示す一部破断拡大側面図である。
【００１８】
図１に示されるように、ペット用トイレ装置（以下、トイレ装置１と略称する）は、主に室内の床面３０に設置され、飼い主の不在中においても、ペットの糞尿を自動制御で回収して処理可能なトイレ装置として利用される。以下、本実施例の説明において、トイレ装置１における台座２の長手方向の一端側に設けられた収納ケース１１側を前方をとし、台座２の他端側に設けられた巻取りケース１０側を後方とし、台座２の幅方向を左右方向として説明する。
【００１９】
トイレ装置１は、平面視長方形状に形成された台座２と、ペットの糞尿等の排泄物を廃棄処理するための処理シート３を収納する収納部としての収納ケース１１と、使用済みの処理シート３を巻取り回収する巻取り手段としての巻取りローラ１４と、から主に構成され、台座２の上面における収納ケース１１と巻取りローラ１４との間には、ペットが排泄可能な排泄部２ａが形成されている。
【００２０】
収納ケース１１は、上面が開口する箱状に形成されるとともに、台座２の長手方向の一端部に取り付けられており、後面下部には処理シート３を引き出す引出口１１ａが形成されているとともに、上面開口は、新規な処理シート３を補給するための補給口１１ｄとして形成されている。収納ケース１１の内部上方には、処理シート３が収納される収納空間部が形成されているとともに、内部下方には、案内ローラとしての給紙ローラ１２および２本の給紙ローラ１３が台座２の左右幅方向に軸支されている。
【００２１】
本実施例における処理シート３は、水分を吸収可能な吸水シート層を形成する吸水シート３ａと、防水シート層を形成するために防水加工が施された防水シート３ｂとから構成されており、台座２上では常に吸水シート３ａの下面に防水シート３ｂが配置されるようになっている。
【００２２】
台座２における収納ケース１１と反対側の端部には、巻取りケース１０が取り付けられており、この巻取りケース１０の内部には、台座２上に引き出された処理シート３を巻取る巻取りローラ１４が、台座２の左右幅方向に向けて軸支されている。巻取りケース１０の上部には、巻取りローラ１４を駆動する駆動モータ５が内蔵された駆動部６と、タイマー７と、巻取りケース１０内の臭気を脱臭する脱臭器８と、が設けられている。また、駆動モータ５と巻取りローラ１４とにはベルト２３が掛け渡されており、駆動モータ５の駆動によるベルト２３の回転によって巻取りローラ１４に動力が伝達されるようになっている。
【００２３】
巻取りケース１０の前面下方に形成された巻取り口１０ａの左側面には、ペットの検知と処理シート３の巻取り長さ検知とを兼ね備えた感知センサ９が設けられている。これら駆動モータ５・タイマー７・脱臭器８・感知センサ９は、図示しない制御装置に各々接続し、駆動制御されるようになっている。
【００２４】
ここで、図２（ａ）（ｂ）に基づいて、このトイレ装置１の動作状況を簡単に説明すると、まずペットが台座２の排泄部２ａ上に位置すると、感知センサ９によってペットが排泄部２ａ上に位置したことが検知されるとともに、ペットが検知されたときからタイマー７によるタイマカウントが開始される。このタイマー７によるタイマカウントの開始後、予め設定されているペットの予測排泄時間（例えば３分）が経過すると、駆動モータ５が駆動制御され、ベルト２３を介して巻取りローラ１４が駆動されることで、使用済みの処理シート３を巻回していく。つまり、ペットの排泄後において、使用済みの処理シート３が巻取りローラ１４にて巻取り回収されるとともに、新規の処理シート３が収納ケース１１内から引き出されて交換されるようになっている。
【００２５】
巻取りローラ１４の回動により、処理シート３上に排泄された糞尿１７，１８は処理シート３とともに巻き取られていく。また、排泄部２ａに敷設された処理シート３上に排泄された糞１７や尿１８等の水分は吸収シート３ａにて吸水されるとともに、その下面に配置された防水シート３ｂによって、台座２上に漏れることが確実に防止されるので、長期の使用によっても台座２が汚れることなく、衛生状態が保たれる。
【００２６】
また、図２（ａ）に示されるように、巻取りローラ１４の左右端部は、下端が台座２の側面に軸支された左右一対のアーム１５の上端に軸支されているとともに、アーム１５の上部と台座２間には、アーム１５の上端を台座２側に向けて付勢するスプリング１６が掛け渡されている。これにより巻取りローラ１４の表面は、常時台座２に向けて付勢されることになるため、処理シート３を台座２の上面に敷設した状態を維持できるとともに、巻取り量の増加に伴う外径の変化に応じて巻取り軸１９が移動できるようになっている。
【００２７】
また、台座２の表面には摩擦低減シート２０が敷設されており、処理シート３の巻取り時における台座２と防水シート３ｂとの摩擦や、スプリング１６によるアーム１５の押圧やペットの糞１７および尿１８の重量や、処理シート３の素材に起因する摩擦係数が台座２に対して低減できるため、円滑な巻取りが可能になるとともに、防水シート３ｂの摩擦による破れも未然に防止され、駆動装置６への負荷も極力低減される。
【００２８】
ここで、処理シート３の巻取り状況を、図３（ａ）（ｂ）に基づいて説明すると、前述した駆動モータ５が駆動して巻取りローラ１４の巻取り軸１９が回動することで、吸水シート３ｂ上の糞１７（尿１８は吸水シート３ｂに吸水されているので図示を省略する）等の排泄物が台座２上を前方から後方へと移動されていくとともに、スプリング１６の牽引力がアーム１５を介して巻取り軸１９に伝えられ、巻取り軸１９が下方に向けて押圧されることによって、図３（ｂ）に示すように、保持された糞１７等は押しつぶされた状態で巻回される。
【００２９】
このように、ペットの排泄物における水分は主に吸収シート３ａに吸水・保持されるとともに、下方の防水シート３ｂで吸水シート３ａが密封されるように巻き取られるため、居住内にペットの糞尿１７，１８が漏出されることが防止され、不衛生な室内環境が生じることがない。しかも、処理シート３は、排泄部２ａ上において上面側に位置する吸収シート３ａを内側にしてロールの形態で巻き取られることで、巻取られた処理シート３の外表面は常に防水シート３ｂ側となるため、図２（ａ）に示されるように、巻取りケース１０の上面を開放させることで、手を糞尿１７，１８で汚すことなく、巻取られた使用済みの処理シート３を衛生的かつ簡便に取り外すことができるようになっている。
【００３０】
なお、駆動モータ５の駆動時における回転量は予め設定されており、処理シート３が所定の長さ巻回された時点で駆動モータ５の駆動が停止されて巻取り完了となるようになっている。また、巻取りケース１０内は脱臭器８によって脱臭され、外部への悪臭の拡散が防止されるようになっている。
【００３１】
次に、収納ケース１１の詳細な構造について説明する。図４に示されるように、収納ケース１１の内部における上下略中間位置には、上部の補給口１１ｄから補給された処理シート３が載置される載置板１１ｃが設けられており、収納ケース１１内に収納されている処理シート３は、上下方向に向けて何重にも折り返されて蛇腹状に折り畳まれた状態で、載置板１１ｃ上に安定して載置されるようになっている。また、収納ケース１１内の下部では、載置板１１ｃ間に形成された間隙から引き出された処理シート３が、一対の給紙ローラ１３，１３間に挟持された後、給紙ローラ１２にて折り返されてから引出口１１ａに向けて引き出され、引出口１１ａから台座２の上面に沿って巻取りローラ１４側に向けて案内されるようになっている。
【００３２】
このように、処理シート３を複数の案内ローラ（給紙ローラ１３、給紙ローラ１２）を経由して引き出されるようにしたことで、処理シート３が引出口１１ａから台座２に向けてスムーズに、また常に安定した姿勢で引き出されるため、引き出し途中でシート詰まりが発生することが効果的に防止される。
【００３３】
また、処理シート３を挟持しながら引き出し方向に案内する一対の給紙ローラ１３，１３には回転抵抗が付与されているため、例えば、巻取りローラ１４の巻取り時やペットの動き（引っ掻き・噛み付き等）等の要因により、引き出されている処理シート３に強い力が加わった場合でも、処理シート３が過度に引き出しされることが防止されるとともに、引き出された処理シート３に一定の張力が付与されるので、台座２上面に処理シート３が安定して幅広く均等に張設された状態を、長期に渡って持続できる。
【００３４】
図５に示されるように、ペットのトイレ装置１の使用継続によって徐々に収納ケース１１から処理シート３が引き出されていくと、収納ケース１１内の処理シート３の残量が減少していくので、新たな処理シート３を補給する必要がある。本実施例では、所定長さの帯状の処理シート３を蛇腹状に折り曲げて折曲層２５ｃを形成した補給用シート体２５’を１つのユニットとし、収納ケース１１の開閉カバー１１ｂを上方に解放することにより開口された補給口１１ｄから新たな補給用シート体２５’（処理シート３）を補給可能になっている。
【００３５】
これら補給用シート体２５’における引き出し側の始端２５ｂ下面と反対側の終端２５ａ上面には、両面に粘着層が形成された粘着テープ２６が予め貼付されており、この貼付された粘着テープ２６の表面には、剥離可能なフィルム状の剥離紙２７が貼付されている。同様に収納ケース１１に既に収納されて使用中である補給用シート体２５の終端２５ａ上面にも、剥離紙２７付きの粘着テープ２６が貼付されている。
【００３６】
新たな補給用シート体２５’を補給する際には、開閉カバー１１ｂを解放して、既存の補給用シート体２５の粘着テープ２６から剥離紙２７を剥離したのち、新たな補給用シート体２５’を補給口１１ｄから補給すればよく、このようにすることで、今回補給する新たな補給用シート体２５’の始端２５ｂが、既存の補給用シート体２５の終端２５ａに貼付された粘着テープ２６に重合して接着されることになる。
【００３７】
また、粘着テープ２６に剥離紙２７を貼付しておくことによって、非接続時において粘着部である粘着テープ２６の粘着強度を劣化させることなく、新たな補給用シート体２５’の補給直前に剥離紙２７を粘着テープ２６から剥がすだけで接続可能な状態とすることができるので、使用時における既存の補給用シート体２５の収納ケース１１への接着を回避できるばかりか、未だ補給しない未使用の補給用シート体の保管も楽である。
【００３８】
なお、本実施例では、補給用シート体２５，２５’の終端２５ａ側のみに粘着テープ２６が設けられていたが、補給用シート体２５’，２５’’の始端２５ｂ側のみに粘着テープ２６を設けてもよいし、あるいは補給用シート体２５’，２５’’の始端２５ｂおよび終端２５ａにそれぞれ粘着テープ２６を設けるようにしてもよい。
【００３９】
また、本実施例では、既に収納されている補給用シート体２５の終端２５ａと、新たな補給用シート体２５’の始端２５ｂとを接続する手段として粘着テープ２６が用いられているが、接着剤や糊等を始端２５ｂまたは終端２５ａの少なくともいずれか一方に塗布しておくことで粘着部を形成するようにしてもよく、このように接続手段を粘着部にて形成することで、始端２５ｂと終端２５ａの継ぎ目が排泄部２ａに配置された場合でも、ペットが怪我等をする虞がなく安全である。さらに、粘着部を左右幅方向に形成することで、継ぎ目から排泄物が漏出することが防止される。
【００４０】
また、図６に示されるように、収納ケース１１に補給用シート体２５が補給された際に、既に収納されている補給用シート体２５の終端２５ａと、新たな補給用シート体２５’の始端２５ｂとが重なるように、終端２５ａ及び始端２５ｂの位置が折り畳み方向に対して同位置に配置されるように形成されているので、収納ケース１１内に新たな補給用シート体２５’を補給するだけで、既存の補給用シート体２５の終端２５ａと新たな補給用シート体２５’の始端２５ｂとが粘着テープ２６によって接続される。
【００４１】
このように、新たな補給用シート体２５’を補給口１１ｄから補給するだけで、新規の補給用シート体２５’の始端２５ｂと既存の補給用シート体２５の終端２５ａとが粘着テープ２６により接続（継ぎ足される）されることで、両補給用シート体２５，２５’の接続位置合わせばかりか、接続の手間が省けるため、新たな補給用シート体２５’の補給作業を簡便に行うことができるばかりか、処理シート３の引き出し中に途切れることがないように、予め継ぎ足して延長しておくことができる。
【００４２】
また、更に新たな補給用シート体２５’’を補給口１１ｄから補給した場合であっても、上記と同様に補給用シート体２５’の終端２５ａと、その上から補給される補給用シート体２５’’の始端２５ｂとが粘着テープ２６を介して接続されるため、収納ケース１１の収納許容量の範囲内で、より多くの補給用シート体２５’，２５’’を予め補給しておくことができる。
【００４３】
さらに、これら処理シート３を蛇腹状に折り畳むことで形成した補給用シート体２５，２５’，２５’’を上下方向に向けて圧縮し、より多くの補給用シート体を収納ケース１１内に収容可能とすることで、処理シート３の補給の手間をより低減できる。
【００４４】
以上の説明してきたように、本実施例におけるトイレ装置１にあっては、収納ケース１１の内部に収納された処理シート３は、引出口１１ａから台座２上の排泄部２ａに引き出されても、終端部２５ａが常に補給口１１ｄ側に露呈しているので、該処理シート３が終端部２５ａまで使用されていない状態でも、該終端部２５ａに、補給用シート体２５’、２５’’として新たに補給される処理シート３の始端部２５ｂを粘着テープ２６により継ぎ足して、連続した長尺の処理シート３を容易に形成することができる。これにより、使用中の処理シート３が終端部２５ａまで引き出されたときに、継ぎ足された新規な処理シート３が連続的に引き出されるので、新規な処理シート３の補給作業が容易であるとともに、処理シート３を始端部２５ｂから終端部２５ａまで無駄なく使用することができる。
【００４５】
以上、本発明の実施例を図面により説明してきたが、具体的な構成はこれら実施例に限られるものではなく、本発明の要旨を逸脱しない範囲における変更や追加があっても本発明に含まれ、例えば上記実施例の補給用シート体２５’では、処理シート３が蛇腹状に折り曲げられて収納されるようになっていたが、本発明にあっては、収納ケース１１は、処理シート３が引き出されても、収納ケース２５内に補給された補給用シート体２５’の始端２５ｂが引出口１１ａ側を向き、終端２５ａが補給口１１ｄ側を向いた姿勢で保持されるように収納できるようになっていれば、処理シート３は必ずしも蛇腹状に折り畳まれていなくてもよい。
【００４６】
また、上記実施例における収納ケース１１は、補給口１１ｄが上面に形成されていたが、補給口の形成箇所は限定されるものではなく、側面等に形成されていてもよいし、また、処理シート３を収納する収納部は必ずしもケース体にて形成されていなくてもよい。
【００４７】
また、上記実施例では、既に収納されている補給用シート体２５の終端２５ａと新たに補給する処理シート３の始端２５ｂとを接続する手段として、粘着部を形成する粘着テープ２６が用いられているが、接着剤や糊、あるいはホチキスや面ファスナー等により接続してもよい。
【００４８】
また、上記実施例におけるトイレ装置１は、使用済みの処理シート３をペットの排泄後において自動的に巻取り可能な巻取り手段が台座２に設けられていたが、本発明はこれに限定されるものではなく、手動式の巻取り手段が設けられていてもよい。
【００４９】
また、このような巻取り手段は必ずしも設けられていなくてもよく、この場合、例えば巻取り手段の替わりに、引き出された処理シート３の始端を押さえるための押さえ部材等を設け、該押さえ部材にて引き出された処理シート３を張設状態で維持できるようにするとともに、処理シート３が汚れたときには処理シート３を適宜切断して使用箇所を除去した後、新規な処理シート３を引き出せばよい。
【図面の簡単な説明】
【００５０】
【図１】本発明の実施例におけるペット用トイレ装置の全体像を示す斜視図である。
【図２】（ａ）は、ペット用トイレ装置の一部破断側面図であり、（ｂ）は、ペット用トイレ装置の一部破断平面図である。
【図３】（ａ）は、処理シートが台座側より巻き取られる状態を示す断面図であり、（ｂ）は、更に多くの処理シートが巻き取られた状態を示す断面図である。
【図４】処理シートが収納ケースから引き出される過程を示す一部破断側面図である。
【図５】収納ケースに補給シート体が補給される過程を示す斜視図である。
【図６】収納ケースに補給シート体が補給された状態を示す一部破断拡大側面図である。
【符号の説明】
【００５１】
１                    トイレ装置（ペット用トイレ装置）
２                    台座
２ａ                  排泄部
３                    処理シート
３ａ                  吸水シート（吸水シート層）
３ｂ                  防水シート（防水シート層）
５                    駆動モータ
６                    駆動部（巻取り手段）
７                    タイマー
８                    脱臭器
９                    感知センサ
１０                  巻取りケース
１０ａ                巻取り口
１１                  収納ケース
１１ａ                引出口
１１ｂ                開閉カバー
１１ｃ                載置板
１１ｄ                補給口
１２、１３            給紙ローラ（案内ローラ）
１４                  巻取りローラ（巻取り手段）
１５                  アーム
１６                  スプリング
１７                  糞（排泄物）
１８                  尿（排泄物）
１９                  巻取り軸
２０                  摩擦低減シート
２３                  ベルト
２５、２５’、２５’’  補給用シート体
２５ａ                終端（終端部）
２５ｂ                始端（始端部）
２５ｃ                折曲層
２６                  粘着テープ（粘着部）
２７                  剥離紙
３０                  床面
【図１】
2007000030.tif 000003
【図２】
2007000030.tif 000004
【図３】
2007000030.tif 000005
【図４】
2007000030.tif 000006
【図５】
2007000030.tif 000007
【図６】
2007000030.tif 000008